(57)【要約】【課題】撮影時に寄せられたメッセージ等を写真とともに確認できるようにして、得られる情報量を増やすとともに、その情報量を長期にわたって保持することができ、また、収納状態において内容を確認できるアルバムを提供する。【解決手段】写真Ｐが印刷された複数枚の記録紙４を、表紙５ｂと裏表紙５ｃおよび背表紙５ａとで挟んだ状態で綴じることによって構成されたアルバム本体２と、このアルバム本体を収納するケース３とからなり、前記表紙と裏表紙および背表紙、若しくは、前記アルバム本体を構成する前記複数の記録紙の少なくとも一部には、前記写真に関連した文章が印刷され、前記ケースが、透明若しくは半透明の材料によって形成されていることにより、収納される前記アルバム本体の前記表紙、裏表紙、および、背表紙が透視可能となされていることを特徴とする。【選択図】図１
0003185354.tif 000002
【実用新案登録請求の範囲】
【請求項１】
写真が印刷された複数枚の記録紙を、表紙と裏表紙および背表紙とで挟んだ状態で綴じることによって構成されたアルバム本体と、このアルバム本体を収納するケースとからなり、前記表紙と裏表紙および背表紙、若しくは、前記アルバム本体を構成する前記複数の記録紙の少なくとも一部には、前記写真に関連した文章が印刷され、前記ケースが、透明若しくは半透明の材料によって形成されていることにより、収納される前記アルバム本体の前記表紙、裏表紙、および、背表紙が透視可能となされていることを特徴とするアルバム。
【請求項２】
見開き状態にある一方の記録紙に前記写真が印刷され、他方の記録紙に前記文章が印刷されていることを特徴とする請求項１に記載のアルバム。
【請求項３】
前記記録紙に、前記写真とともに前記文章が併記される状態で印刷されていることを特徴とする請求項１に記載のアルバム。
【考案の詳細な説明】
【技術分野】
【０００１】
本考案は、写真が印刷された複数枚の記録紙を綴って構成されたアルバムに関するものである。
【背景技術】
【０００２】
従来、写真を整理する場合、前記写真を台紙に貼り付け、この台紙の複数枚を綴ることによって構成されるアルバムが用いられている（特許文献１）。
【先行技術文献】
【特許文献】
【０００３】
【特許文献１】特開２００８−２４６７０９号公報
【考案の概要】
【考案が解決しようとする課題】
【０００４】
前述した従来のアルバムは、写真を台紙に貼り付けてこの台紙の複数枚を綴って構成されているものであるから、写真からの画像情報しか得られない。
【０００５】
しかしながら、たとえば、前記アルバムが催事に係わるものである場合、写真の撮影時に、被写体からのメッセージ等が寄せられていることが多いが、前述した従来のアルバムにあっては、撮影時や、撮影時からの経過期間が短い間は前記メッセージ等を思い出すことも可能であるが、時間の経過とともに前記メッセージ等の記憶が薄れてしまい、最終的には写真による画像情報のみとなってしまう。
【０００６】
また、前記アルバムを保管する場合、このアルバムを箱に収めて、その劣化を防止するようにしている。
【０００７】
このような保管方法であると、アルバムの内容を確認するために、このアルバムを箱ごと取り出した後にこの箱を開け、さらに、アルバムを開いて収納している写真を確認するといった煩雑な作業が必要である。
【０００８】
本考案は、前述した従来の技術において残されている問題点を解決するためになされたもので、撮影時に寄せられたメッセージ等を写真とともに確認できるようにして、得られる情報量を増やすとともに、その情報量を長期にわたって保持することができ、また、収納状態において内容を確認できるアルバムを提供することを課題とする。
【課題を解決するための手段】
【０００９】
本考案の請求項１に記載のアルバムは、写真が印刷された複数枚の記録紙を、表紙と裏表紙および背表紙とで挟んだ状態で綴じることによって構成されたアルバム本体と、このアルバム本体を収納するケースとからなり、前記表紙と裏表紙および背表紙、若しくは、前記アルバム本体を構成する前記複数の記録紙の少なくとも一部には、前記写真に関連した文章が印刷され、前記ケースが、透明若しくは半透明の材料によって形成されていることにより、収納される前記アルバム本体の前記表紙、裏表紙、および、背表紙が透視可能となされていることを特徴としている。
【００１０】
このような構成とすることにより、アルバムを開くと、写真を見ると同時にそれに関連した文章を確認することができ、撮影時の状況を写真からの画像情報と、文章からの文字情報との両方の情報を得ることができ、したがって、撮影時の状況をより明瞭に思い出すことができ、かつ、時間の経過に係わらず再現される。
【００１１】
また、収納状態において、透明若しくは半透明のケースを通してアルバムの文字情報を確認することができるので、アルバム本体を開くことなく容易にその内容を確認することができる。
【００１２】
本考案の請求項２に記載のアルバムは、請求項１に記載の前記見開き状態にある一方の記録紙に前記写真が印刷され、他方の記録紙に前記文章が印刷されていることを特徴としている。
【００１３】
このような構成とすることにより、前記写真の掲載領域および文章の掲載領域を大きくとることができ、前述した情報量をさらに大きくすることができる。
【００１４】
また、本考案の請求項３に記載のアルバムは、請求項１に記載の前記記録紙に、前記写真とともに前記文章が併記される状態で印刷されていることを特徴としている。
【００１５】
このような構成とすることにより、被写体とこの被写体からのメッセージとを近づけて、撮影時の状況をより明瞭に想起させることができる。
【考案の効果】
【００１６】
本考案によれば、撮影時に寄せられたメッセージ等を写真とともに確認できるようにして、得られる情報量を増やすとともに、その情報量を長期にわたって保持することができ、また、収納状態において内容を確認できるアルバムを提供することができる。
【図面の簡単な説明】
【００１７】
【図１】本考案の一実施形態を示すもので、アルバム本体をケースから取り出した状態を示す外観斜視図である。
【図２】本考案の一実施形態を示すもので、アルバム本体をケース内に収納した状態で、アルバム本体の表紙側から見た外観斜視図である。
【図３】本考案の一実施形態を示すもので、アルバム本体をケース内に収納した状態で、アルバム本体の裏表紙側から見た外観斜視図である。
【図４】本考案の一実施形態を示すもので、表紙の正面図である。
【図５】本考案の一実施形態を示すもので、記録紙の一例を示す正面図である。
【図６】本考案の一実施形態を示すもので、記録紙の一例を示す正面図である。
【図７】本考案の一実施形態を示すもので、記録紙の一例を示す正面図である。
【図８】本考案の一実施形態を示すもので、記録紙の一例を示す正面図である。
【図９】本考案の一実施形態を示すもので、記録紙の一例を示す正面図である。
【考案を実施するための形態】
【００１８】
以下、本考案の一実施形態を、図面を参照して説明する。
図１中、符号１は本実施形態に係わるアルバムを示し、このアルバム１は、アルバム本体２と、このアルバム本体２が収納されるケース３とによって構成されている。
【００１９】
前記アルバム本体２は、後述する写真や文章が印刷される複数の記録紙４と、これらの記録紙４を積層した状態で、その一辺側において綴じることによって一体化する表紙部材５とによって構成されている。
【００２０】
前記表紙部材５は、略コ字状に折曲形成され、その中央部が背表紙５ａとなされ、この背表紙５ａの一方に連続する部分が表紙５ｂ、また、他方に連続する部分が裏表紙５ｃとなされている。
【００２１】
そして、前記複数の記録紙４が積層された状態で、前記表示５ｂと裏表紙５ｃの間に挿入され、かつ、積層状態の前記記録紙４の一辺側が、前記背表紙５ａに貼着されることにより一体化されて、前記アルバム本体２が形成されている。
【００２２】
また、前記ケース３は、形状が、前記アルバム本体２を閉じた状態とほぼ同形状となるように、透明若しくは半透明の合成樹脂によって箱形に形成されており、その一側部が開放されて、この開放部３ａから前記アルバム本体２の出し入れがなされるようになっている。
【００２３】
ついで、アルバム１を、結婚式の記録として用いた場合における実施形態について説明する。
前記表紙５ｂの表面には、図４に詳述するように、ほぼ中央に、新郎新婦の写真Ｐ（イラストであってもよい）、その下部に、結婚式の記録であることを表示するタイトルＷや開催日Ｄが印刷されている。
【００２４】
前記背表紙５ａには、図３に示すように、縦書きで、前記タイトルＷが印刷されている。
【００２５】
そして、前記記録紙４には、たとえば、図５ないし図９に示すように、種々の写真Ｐや文章Ｓが印刷されている。
たとえば、図５に示すように、アルバム本体２に収納されている情報のもくじが記録される。
【００２６】
図６に示す例は、見開き状態において一方の記録紙４に新郎の写真Ｐと、新郎から新婦のメッセージＭとが印刷され、他方の記録紙４に新婦の写真Ｐと、新婦から新郎へのメッセージＭが印刷されている。
【００２７】
図７に示す例は、記録紙４のほぼ全面に指輪交換時の新郎新婦の写真Ｐが印刷され、その下部に、状況説明としてのコメントＣが印刷されている。
【００２８】
図８に示す例は、主賓スピーチ時の状況を記録したもので、見開き状態において、一方の記録紙４のほぼ全面に主賓と新郎新婦の写真Ｐが印刷され、その下部にコメントＣが印刷され、他方の記録紙４には、主賓のスピーチ内容Ｓが印刷されている。
【００２９】
図９に示す例は、受付や会場内のスナップ写真Ｐが複数枚印刷され、それぞれにコメントＣが併記されるように印刷されている。
【００３０】
このように、写真ＰとメッセージＭとが併記されていることにより、画像情報と文字情報とを同時に確認することができ、撮影時の状況が明瞭に想起される。
【００３１】
このように構成された前記アルバム本体２は、閉じた状態で、図２および図３に示すように前記ケース３に収納される。
【００３２】
そして、前記ケース３に収納された状態において、前記アルバム本体２の表紙部材５の表面が、前記ケース３を通して確認される。
【００３３】
したがって、収納状態において、前記表紙５ｂや背表紙５ａに印刷された情報を前記ケース３越しに確認することができる。
この結果、たとえば、前記アルバム１を本棚等に収納した状態であっても、その内容を確認することができる。
【００３４】
なお、前記実施形態は一例であって、作成するアルバム１のテーマや使用目的等に基づき、前記写真Ｐや文字情報の配置等を種々変更することができる。
【符号の説明】
【００３５】
１  アルバム
２  アルバム本体
３  ケース
３ａ  開放部
４  記録紙
５  表紙部材
５ａ  背表紙
５ｂ  表紙
５ｃ  裏表紙
Ｃ  コメント
Ｄ  開催日
Ｍ  メッセージ
Ｐ  写真
Ｓ  スピーチ内容
Ｗ  タイトル
【図１】
0003185354.tif 000003
【図２】
0003185354.tif 000004
【図３】
0003185354.tif 000005
【図４】
0003185354.tif 000006
【図５】
0003185354.tif 000007
【図６】
0003185354.tif 000008
【図７】
0003185354.tif 000009
【図８】
0003185354.tif 000010
【図９】
0003185354.tif 000011
【手続補正書】
【提出日】平成25年6月6日(2013.6.6)
【手続補正１】
【補正対象書類名】図面
【補正対象項目名】図７
【補正方法】変更
【補正の内容】
【図７】
0003185354.tif 000012
【手続補正２】
【補正対象書類名】図面
【補正対象項目名】図８
【補正方法】変更
【補正の内容】
【図８】
0003185354.tif 000013
【手続補正３】
【補正対象書類名】図面
【補正対象項目名】図９
【補正方法】変更
【補正の内容】
【図９】
0003185354.tif 000014